(57)【要約】【課題】夏場の強い紫外線や高い気温から腕部等の露出した部分を保護する手袋及び手袋セットであって、マフラーとして頚部の冷却・紫外線対策用にも使用可能な手袋及び手袋セットを提供する。【解決手段】指の付け根から腕の肘よりも上部位置まで覆うことが可能に形成された円筒部と、前記円筒部の先端側に、親指以外の指を通過させることが可能に形成された第１の開口部と、前記第１の開口部とは反対側に、拳及び腕を通過させることが可能に形成された第２の開口部と、前記円筒部の前記第１の開口部側に形成された第３の開口部又は親指ホルダーと、を有し、前記円筒部は、外面側部材と内面側部材とを有し、前記外面側部材と前記内面側部材との間には、水分を含むことが可能な貯水部材を有し、前記円筒部の前記第１の開口部側に形成された第１の係合部と、前記円筒部の前記第２の開口部側に形成された第２の係合部と、を有する手袋及び手袋セット。【選択図】図２
2013216986.tif 000002
【特許請求の範囲】
【請求項１】
指の付け根から腕の肘よりも上部位置まで覆うことが可能に形成された円筒部と、
前記円筒部の先端側に、親指以外の指を通過させることが可能に形成された第１の開口部と、
前記第１の開口部とは反対側に、拳及び腕を通過させることが可能に形成された第２の開口部と、
前記円筒部の前記第１の開口部側に形成された第３の開口部又は親指ホルダーと、を有し、
前記円筒部は、外面側部材と内面側部材とを有し、
前記外面側部材と前記内面側部材との間には、水分を含むことが可能な貯水部材を有し、
前記円筒部の前記第１の開口部側に形成された第１の係合部と、
前記円筒部の前記第２の開口部側に形成された第２の係合部と、を有する手袋。
【請求項２】
前記円筒部の前記内面側部材はメッシュ構造を有する請求項１に記載の手袋。
【請求項３】
前記手袋は、左手用手袋と、右手用手袋と、を有し、
前記右手用手袋の前記第１の係合部と、前記左手用の前記第１の係合部とが係合し、
前記右手用手袋の前記第２の係合部と、前記左手用の前記第２の係合部とが係合し、
前記右手用手袋と前記左手用手袋とが輪を形成してマフラーとして機能する
請求項１又は２に記載の前記手袋からなる手袋セット。
【請求項４】
前記手袋は、左手用手袋と、右手用手袋と、を有し、
前記左手用手袋と、前記右手用手袋の何れか一方の前記第１の開口部近傍にループを設け、
前記右手用手袋の前記第２の係合部と、前右左手用の前記第２の係合部とが係合した状態で、前記手袋の一端を前記ループに挿通させることによりマフラーとして機能する
請求項１又は２に記載の前記手袋からなる手袋セット。
【発明の詳細な説明】
【技術分野】
【０００１】
本発明は、夏場の強い紫外線や高い気温から腕部等の露出した部分を保護する手袋に関し、特にはマフラーとして頚部の冷却・紫外線対策用に利用可能な手袋及び手袋セットに関する。
【背景技術】
【０００２】
これに関連する手袋として、たとえば特許文献１には、前腕と上腕を覆う長さを有する筒状の袖部に保冷部を設けた手袋が記載されている。
【０００３】
特許文献２には、身体の異なる部位を保護するマフラー兼帽子が記載されている。このマフラー兼帽子は、柔軟性及び伸縮性を有する衣服及び帽子の材料を円筒状に形成したものを頭から被ることによって、頭部及び頚部を防寒し、紫外線を防ぐ。
【０００４】
特許文献３には、防寒用及び防暑用タオルマフラーが記載されている。このマフラーは、本体の一部に切れ目を縫製することによって、その切れ目から保温剤若しくは保冷材を装着可能である。
【０００５】
特許文献４には、医療用の冷却手袋が記載されている。この手袋は、脱毛や爪の剥離といった抗がん剤の有害反応を冷却によって緩和することを目的としたものであるため、特に保冷能力が高い。
【先行技術文献】
【特許文献】
【０００６】
【特許文献１】登録実用新案第３１７３３３８号公報
【特許文献２】特開２００７−３１４９２１号公報
【特許文献３】登録実用新案第３１４２９５４号公報
【特許文献４】特開２０１０−２２９６１４号公報
【発明の概要】
【発明が解決しようとする課題】
【０００７】
ところで、手袋というアイテムは本来、想定された用途以外に使用することが難しく、不要となると扱いに困るアイテムである。たとえば、特許文献１に記載の手袋を着用したユーザがクーラーの効いた室内に入れば、すぐに手袋を外したくなり、外した手袋の置き場に困って、時に紛失することもある。
また、特許文献４に記載の手袋はさらに用途を限定したものであり、そのまま他の用途に転用したり、手袋を身に付けた状態で他の作業を行ったりすることは困難である。
【０００８】
上述の事情に鑑み、本発明は夏場の強い紫外線や高い気温から腕部等の露出した部分を保護する手袋であって、マフラーとして頚部の冷却・紫外線対策用にも使用可能な手袋及び手袋セットを提供することを目的とする。
【課題を解決するための手段】
【０００９】
請求項１に記載の発明は、指の付け根から腕の肘よりも上部位置まで覆うことが可能に形成された円筒部と、前記円筒部の先端側に、親指以外の指を通過させることが可能に形成された第１の開口部と、前記第１の開口部とは反対側に、拳及び腕を通過させることが可能に形成された第２の開口部と、前記円筒部の前記第１の開口部側に形成された第３の開口部又は親指ホルダーと、を有し、前記円筒部は、外面側部材と内面側部材とを有し、前記外面側部材と前記内面側部材との間には、水分を含むことが可能な貯水部材を有し、前記円筒部の前記第１の開口部側に形成された第１の係合部と、前記円筒部の前記第２の開口部側に形成された第２の係合部と、を有する手袋である。
【００１０】
請求項２に記載の発明は、前記円筒部の前記内面側部材はメッシュ構造を有する手袋である。
【００１１】
請求項３に記載の発明は、前記手袋は、左手用手袋と、右手用手袋と、を有し、前記右手用手袋の前記第１の係合部と、前記左手用の前記第１の係合部とが係合し、前記右手用手袋の前記第２の係合部と、前記左手用の前記第２の係合部とが係合し、前記右手用手袋と前記左手用手袋とが輪を形成してマフラーとして機能する手袋からなる手袋セットである。
【００１２】
請求項４に記載の発明は、前記手袋は、左手用手袋と、右手用手袋と、を有し、前記左手用手袋と、前記右手用手袋の何れか一方の前記第１の開口部近傍にループを設け、前記右手用手袋の前記第２の係合部と、前右左手用の前記第２の係合部とが係合した状態で、前記手袋の一端を前記ループに挿通させることによりマフラーとして機能する手袋からなる手袋セットである。
【図面の簡単な説明】
【００１３】
【図１】本発明の一実施形態にかかる手袋（左手用）の内面側を示す。
【図２】本発明の一実施形態にかかる手袋（左手用及び右手用）の外面側を示す。
【図３】図２に示す手袋を輪状に結合した状態の斜視図である。
【図４】図２に示す手袋を直線状に結合した状態の説明図である。
【図５】図３のＶ−Ｖ断面図である。
【発明を実施するための形態】
【００１４】
本発明の一実施形態にかかる手袋について、図面を参照しつつ詳細に説明する。なお、以下の説明において、「外面側」とは手の甲から肘の上部に続く部位を示し、「内面側」は「外面側」と反対側、すなわち、掌から肘裏の上部に続く部位を示す。
【００１５】
図１は、本発明の一実施形態にかかる手袋１００について、左手用手袋１００ａの内面側を示す。図１（ａ）は着用者の手が挿入された状態、図１（ｂ）は未挿入の状態を示す。図１を用いて手袋１００の概要と、手袋１００の内面側及び内面側部材６について説明する。
【００１６】
手袋１００は、円筒部１０、第１の開口部１、第２の開口部２と及び第３の開口部３又は親指ホルダー３ｃを有する。
円筒部１０は、ユーザの指の付け根から腕の肘よりも上部位置まで覆うことが可能に形成されている。第１の開口部１は、円筒部１０の先端側に、ユーザの親指以外の指を通過させることが可能に形成されている。
第２の開口部２は、第１の開口部１とは反対側に着用者の拳及び腕を通過させることが可能に形成されている。
第１の開口部１側には、第３の開口部３又は親指ホルダー３ｃが形成されている。この第３の開口部３又は親指ホルダー３ｃは、主に親指のみを通過させることが可能に形成されている。
【００１７】
円筒部１０は、外面側部材５と内面側部材６とを有する。着用者が手袋１００を装着したとき、外面側部材５は外面側に位置し、内面側部材６は内面側に位置する。つまり、着用者は外面側部材５と内面側部材６の間の間隙から腕を通すことができる。
【００１８】
図１には、内面側部材６のみが示されてる。この内面側部材６は直接皮膚に接触する部分なので、メッシュ構造を有することによって通気性が向上する。図１（ａ）には、このメッシュ構造を有する内面側部材６が、親指ホルダー３ｃの内面側３ｂにも設けられている実施形態が記載されている。しかし、この実施形態に限らず、親指ホルダー３ｃの内面側３ｂにメッシュ構造を設けない場合は、外面側３ａの外面側部材５の一部である布地５ａ又は５ｂを内面側３ｂに設ける。この場合、親指ホルダー３ｃ全体を同一の素材で構成されるので、より肌に馴染む構成とすることができる。
【００１９】
本実施形態では、親指ホルダー３ｃに後述する貯水部材５ｃが設けられていないが、これを設ける構成とすることも可能である。
【００２０】
次に、図２を用いて、手袋１００の外面側部材５について具体的に説明する。図２（ａ）は左手用手袋１００ａの外面側、図２（ｂ）は右手用手袋１００ｂの外面側を示す。
【００２１】
手袋１００の円筒部１０は、外面側に外面側部材５を備える。外面側部材５は、水分を含むことが可能な貯水部材５ｃを有する（図５、後述）。
また、左手用手袋１００ａの円筒部１０の第１の開口部１側には、第１の係合部７ａが形成され、左手用手袋１００ａの円筒部１０の第２の開口部２側には、第２の係合部８ａが形成されている。本実施形態では、係合部７及び係合部８はボタンとボタンホールの態様で実施されている。しかし、係合部７及び係合部８は、スナップやファスナー等、円筒部１０に装着可能で係合箇所を繰り返し留めたり外したりできるものであればよい。
【００２２】
以上の構成は右手用手袋１００ｂでも同様の構成であるが、係合部は対応する部品を備える。即ち、右手用手袋１００ｂの円筒部１０の第１の開口部１側には、第１の係合部７ｂが形成され、左手用手袋１００ａの円筒部１０の第２の開口部２側には、第２の係合部８ｂが形成されている。
【００２３】
本実施形態では、左手用手袋１００ａの円筒部１０は、第１の開口部１の近傍にループ９を備えている。ループ９の使用方法については図４で詳細に説明する。
【００２４】
図３は、図２に示す手袋１００を輪状に結合した状態の斜視図である。
【００２５】
手袋１００は、左手用手袋１００ａと右手用手袋１００ｂを有する。左手用手袋１００ａの第１の係合部７ａと、右手用手袋１００ｂの第１の係合部７ｂとが係合する。図示されていないが、本実施形態では、右手用手袋１００ｂの第２の係合部８ｂと、左手用手袋１００ａの前記第２の係合部８ａとが係合することによって、左手用手袋１００ａと右手用手袋１００ｂが輪を形成してマフラー２００ａとして機能する、手袋セットとして用いることができる。
【００２６】
図１及び図２に示されるように本実施形態では、円筒部１０は先端に向かって径が小さくなる略裁頭円錐体である。従って、２つの手袋によって輪を形成するに際し、同一の径である開口部同士を結合した方が見た目がよい。しかし、円筒部１０の両開口部の径の大きさが同一である場合など、円筒部１０の端部の形状によっては、左手用手袋１００ａの第１の係合部７ａと、右手用手袋１００ｂの第２の係合部８ｂとが係合し、右手用手袋１００ｂの第２の係合部８ｂと、左手用手袋１００ａの前記第１の係合部７ａとが係合するように構成してもよい。
【００２７】
次に、図４を用いて、手袋１００の別の実施形態を説明する。図４は、図２に示す手袋１００を直線状に結合した状態の説明図である。
【００２８】
手袋１００は、右手用手袋１００ｂの第２の係合部８ｂと左手用手袋１００ａの第２の係合部８ａのみが係合しており、右手用手袋１００ｂの第１の係合部７ｂと左手用手袋１００ａの第１の係合部７ａは係合しておらず、直線状に結合してマフラー２００ｂとして機能する。
【００２９】
具体的には、着用者がマフラー２００ｂを首から掛け、右手用手袋１００ｂの円筒部１０を左手用手袋１００ａの円筒部１０に取り付けられたループ９に挿通させることによってマフラー２００ｂとして使用することができる。
【００３０】
このとき、右手用手袋１００ｂの円筒部は上方から下方へ向かって斜めにループ９の下を通過する。従って、図２（ａ）および図４に示すように、ループ９が左手用手袋１００ａの円筒部の長手方向に対して斜めに設けられると、右手用手袋１００ｂの円筒部をスムーズにループ９を通すことが可能となる。
【００３１】
または、ループ９は左手用手袋１００ａの円筒部の長手方向に対して直交するように設けてもよい。この場合、斜めに設けるよりも製造が容易となり、製造コストが節約できる。
【００３２】
本実施形態では、ループ９を左手用手袋１００ａに設けている。衣服の右側を上にして着用する女性の使用者に特に配慮したためであって、勿論ループ９を右手用手袋１００ｂに設けてもよい。
【００３３】
図４に示す直線状のマフラー２００ｂは、図３に示す輪状のマフラー２００ａに比べて、頚部に接触する部分を着用者が自由に調節できるので、より効果的に首周りを冷却することができる。具体的には、ループ９を通過させる円筒部１０の長さを大きくすることによって、マフラーはよりきつく首に巻き付けられ、逆にループ９を通過させる円筒部１０の長さを短くすれば緩く巻き付けられるので、着用者の首周りの太さ等に応じて調節することが可能である。
【００３４】
次に、図５を用いて、手袋１００の材質等について説明する。図５は、図３のＶ−Ｖ断面図である。
【００３５】
手袋１００の円筒部１０は、外面側部材５と内面側部材６からなる。外面側部材５は水分を含むことが可能な貯水部材５ｃを含む。この貯水部材５ｃは布地５ａ及び布地５ｂに挟まれて、糸５ｄによって一体的に縫合されて外面側部材５を形成する。なお、貯水部材５ｃ、布地５ａ及び布地５ｂを接着によって接合して外面側部材５を形成してもよい。
【００３６】
外面側部材５の布地５ａ及び５ｂは、吸湿性に優れている布地から適宜選択可能である。特に、ブロードやシーチング等の綿素材であれば、加工が比較的であり、洗濯等の取扱いも容易であるので好適である。これらの布地は、水につけると布地の経糸又は横糸の方向に縮むため、サンフォライズ加工等の防縮加工を施すことが望ましい。
【００３７】
外面側部材５の貯水部材５ｃには、高分子ポリマー等からなる水分を吸収する冷却剤が用いられる。
【００３８】
内面側部材６はメッシュ布地からなる。メッシュ布地は、例えば、ナイロン、ポリエステル等の合成繊維や綿麻等の天然繊維等、従来のメッシュ布地から適宜選択可能である。
【００３９】
手袋１００は、もっとも日焼けしやすい指の付け根から腕の肘よりも上部位置まで覆うので、日焼け防止に効果的である。また、手首から先だけの手袋よりも被覆面積が大きいので、冷却効果も大きい。また、手袋１００は、円筒部１０の先端側に、ユーザの親指以外の指を通過させることが可能に形成された第１の開口部１と、第１の開口部１とは反対側に、ユーザの拳及び腕を通過させることが可能に形成された第２の開口部２と、円筒部１０の前記第１の開口部１側に形成された第３の開口部３又は親指ホルダー３ｃを有しているので、装着の際は腕を通すだけでよく、外すときも同様であって脱着が容易である。
【００４０】
円筒部１０は、外面側部材５が水分を含むことが可能な貯水部材５ｃを有するので、この貯水部材５ｃに蓄えられた水が蒸発するときに気化熱を奪うことによって、冷却効果を得ることができる。
【００４１】
円筒部１０の内面側部材６はメッシュ構造を有するので、手袋１００の直接肌に触れる部分の通気性が向上し、快適な着用感を得られる。
【００４２】
手袋１００は、左手用手袋１００ａと右手用手袋１００ｂを有し、右手用手袋１００ｂの第１の係合部７ｂと、左手用手袋１００ａの第１の係合部７ａとが係合し、右手用手袋１００ｂの第２の係合部８ｂと、左手用手袋１００ａの第２の係合部８ａとが係合することによって、左手用手袋１００ａと右手用手袋１００ｂとが輪を形成してマフラーとして機能する。
【００４３】
これによって、手袋１００は紫外線防止用及びマフラー２００ａとしても使用することができる。マフラー２００ａの長さは、両前腕の長さを加えたものとほぼ同じ長さとなるので、着用者の首周りに対して比較的緩く巻きつけられることとなる。従って、首に着用しつづけることによる違和感がないので、着用者が冷却や紫外線対策の必要のない環境下に移動したときも、そのまま継続して着用することができ、紛失の心配がない。
【００４４】
手袋１００は、左手用手袋１００ａと右手用手袋１００ｂを有し、左手用手袋１００ａと、右手用手袋１００ｂの何れか一方の第１の開口部１の近傍にループ９を設け、右手用手袋１００ｂの第２の係合部８ｂと、左手用手袋１００ａの第２の係合部８ａとが係合した状態で、手袋１００の一端をループ９に挿通させることによりマフラー２００ｂとして機能する。
【００４５】
これによって、手袋１００は紫外線防止用及びマフラー２００ｂとしても使用することができる。マフラー２００ｂは、ループ９を設けたことによって、着用者の首周りに合わせて巻き付けることができる。同様に冷却効果を調整することが可能となる。
【００４６】
本発明によれば、水分を含むことが可能な貯水部材を備えた円筒部がユーザの指の付け根から腕の肘よりも上部位置までを覆うことができるので、腕部を夏場の強い紫外線や高い気温から保護することができる。また、円筒部の係合部を各々係合させることによって、一本のマフラーとして頚部の冷却・紫外線対策用にも使用可能である。
また、円筒部が内面側部材にメッシュ構造を有するので、通気性が向上する。
さらに、右手用の手袋と左手用の手袋が輪を形成してマフラーとして使用することができる。
さらに、右手用の手袋と左手用の手袋が直線状に形成されてマフラーとして使用することができる。
【符号の説明】
【００４７】
１          第１の開口部
２          第２の開口部
３          第３の開口部
３ｃ        親指ホルダー
５          外面側部材
５ａ        布地
５ｂ        布地
５ｃ        貯水部材
５ｄ        糸
６          内面側部材
７          係合部
８          係合部
７ａ，７ｂ  第１の係合部
８ａ，８ｂ  第２の係合部
９          ループ
１０        円筒部
１００      手袋
１００ａ    左手用手袋
１００ｂ    右手用手袋
２００      マフラー
２００ａ    マフラー
２００ｂ    マフラー
【図１】
2013216986.tif 000003
【図２】
2013216986.tif 000004
【図３】
2013216986.tif 000005
【図４】
2013216986.tif 000006
【図５】
2013216986.tif 000007